(57)【要約】【課題】内容物充填システムに残存するフレーバーを効率良く除去することが可能な脱臭方法を提供する。【解決手段】脱臭方法は、飲料を加熱する加熱殺菌機３を少なくとも含む第１循環系２５ａに、第１循環系用第１すすぎ水を供給する第１すすぎ工程と、第１循環系２５ａに第１循環系用薬剤を供給して循環させる薬剤循環工程と、第１循環系２５ａに第１循環系用第２すすぎ水を供給する第２すすぎ工程とを備えている。薬剤循環工程において、第１循環系用薬剤は、第１循環系２５ａ内において、７０℃以上１５０℃以下の温度に加熱される。【選択図】図１
2019172357.tif 000002
【特許請求の範囲】
【請求項１】
ＣＩＰにより内容物充填システムを脱臭する脱臭方法において、
飲料を加熱する加熱殺菌機を少なくとも含む第１循環系に、第１循環系用第１すすぎ水を供給する第１すすぎ工程と、
前記第１循環系に第１循環系用薬剤を供給して循環させる薬剤循環工程と、
前記第１循環系に第１循環系用第２すすぎ水を供給する第２すすぎ工程とを備え、
前記薬剤循環工程において、前記第１循環系用薬剤は、前記第１循環系内において、７０℃以上１５０℃以下の温度に加熱される、脱臭方法。
【請求項２】
前記薬剤循環工程において、前記第１循環系用薬剤を前記第１循環系内に供給して循環させる時間は、５分以上６０分以下である、請求項１に記載の脱臭方法。
【請求項３】
前記第２すすぎ工程において、前記第１循環系用第２すすぎ水は、前記第１循環系内において、７０℃以上１５０℃以下の温度に加熱される、請求項１または２に記載の脱臭方法。
【請求項４】
前記第２すすぎ工程において、前記第１循環系用第２すすぎ水を前記第１循環系に供給する時間は、５分以上６０分以下である、請求項３に記載の脱臭方法。
【請求項５】
前記第１すすぎ工程において、前記第１循環系用第１すすぎ水は、前記第１循環系内において、３０℃以上１００℃以下の温度に加熱される、請求項１乃至４のいずれか一項に記載の脱臭方法。
【請求項６】
前記第１すすぎ工程において、前記第１循環系用第１すすぎ水を前記第１循環系に供給する時間は、５分以上３０分以下である、請求項５に記載の脱臭方法。
【請求項７】
前記第１循環系に第１循環系用第３すすぎ水を供給する第３すすぎ工程を更に備え、
前記第３すすぎ工程において、前記第１循環系用第３すすぎ水は、前記第１循環系内において、３０℃以上１００℃以下の温度に加熱される、請求項１乃至６のいずれか一項に記載の脱臭方法。
【請求項８】
前記第３すすぎ工程において、前記第１循環系用第３すすぎ水を前記第１循環系に供給する時間は、５分以上１２０分以下である、請求項７に記載の脱臭方法。
【請求項９】
ＣＩＰにより内容物充填システムを脱臭する脱臭方法において、
容器に内容物を充填する充填装置を少なくとも含む第２循環系に、第２循環系用第１すすぎ水を供給する第１すすぎ工程と、
前記第２循環系に第２循環系用薬剤を供給して循環させる薬剤循環工程と、
前記第２循環系に第２循環系用第２すすぎ水を供給する第２すすぎ工程とを備え、
前記第２すすぎ工程において、前記第２循環系用第２すすぎ水は、前記第２循環系内において、４０℃以上１００℃以下の温度に加熱される、脱臭方法。
【請求項１０】
前記第２すすぎ工程において、前記第２循環系用第２すすぎ水を前記第２循環系に供給する時間は、５分以上６０分以下である、請求項９に記載の脱臭方法。
【請求項１１】
前記第１すすぎ工程において、前記第２循環系用第１すすぎ水は、前記第２循環系内において、４０℃以上１００℃以下の温度に加熱される、請求項９または１０に記載の脱臭方法。
【請求項１２】
前記第１すすぎ工程において、前記第２循環系用第１すすぎ水を前記第２循環系に供給する時間は、５分以上３０分以下である、請求項１１に記載の脱臭方法。
【請求項１３】
前記第２循環系に第２循環系用第３すすぎ水を供給する第３すすぎ工程を更に備え、
前記第３すすぎ工程において、前記第２循環系用第３すすぎ水は、前記第２循環系内において、４０℃以上１００℃以下の温度に加熱される、請求項９乃至１２のいずれか一項に記載の脱臭方法。
【請求項１４】
前記第３すすぎ工程において、前記第２循環系用第３すすぎ水を前記第２循環系に供給する時間は、５分以上１２０分以下である、請求項１３に記載の脱臭方法。
【請求項１５】
前記薬剤循環工程において、前記第２循環系用薬剤は、前記第２循環系内において、７０℃以上１５０℃以下の温度に加熱される、請求項９乃至１４のいずれか一項に記載の脱臭方法。
【請求項１６】
前記薬剤循環工程において、前記第２循環系用薬剤を前記第２循環系内に供給して循環させる時間は、５分以上６０分以下である、請求項１５に記載の脱臭方法。
【発明の詳細な説明】
【技術分野】
【０００１】
本発明は、ＣＩＰにより内容物充填システムを脱臭する脱臭方法に関する。
【背景技術】
【０００２】
従来から、飲料をボトル等の容器に充填するシステムとして、飲料自体を殺菌するとともに、サージタンク、配管、充填ノズル等を殺菌して無菌状態にする内容物充填システムが知られている。このような内容物充填システムでは、例えば飲料の種類を切り替える際に、ＣＩＰ（Ｃｌｅａｎｉｎｇ  ｉｎ  Ｐｌａｃｅ）処理をし、さらに、ＳＩＰ（Ｓｔｅｒｉｌｉｚｉｎｇ  ｉｎ  Ｐｌａｃｅ）処理をしている（例えば、特許文献１）。
【０００３】
ＣＩＰは、飲料の流路やタンクに付着した前回の飲料の残留物等を除去するためのものであり、飲料の流路に、例えば水に苛性ソーダ等のアルカリ性薬剤を添加した洗浄液を流した後に、水に酸性薬剤を添加した洗浄液を流すことにより行われる。
【０００４】
ＳＩＰは、飲料の流路やタンクを殺菌処理し、無菌状態にするためのものであり、例えば、ＣＩＰで洗浄した流路内に加熱蒸気または熱水を流すことによって行われる。
【０００５】
しかしながら、近年、このような内容物充填システムでは、例えばミネラルウォーター、炭酸飲料、茶系飲料、果実飲料、コーヒー飲料、乳飲料、機能性飲料、アルコール入り飲料、カフェインやアルギニンを含むいわゆるエナジードリンク等の多様な飲料が充填されるようになっている。また、このような多様な飲料には、多くのフレーバーが含有している飲料も存在する。さらに、フレーバーを多く含有する飲料の次回に、例えばミネラルウォーター等のフレーバーを含まない飲料を充填する場合もある。このため、ＣＩＰおよびＳＩＰ後に、飲料の流路にフレーバーが残存していた場合、残存するフレーバーが次回の飲料に入り込み、前回の飲料の香りが次回の飲料に付着してしまう問題がある。前回の飲料の香りが次回の飲料に付着していた場合、再度ＣＩＰおよびＳＩＰを行う必要があり、生産性が著しく悪化する。
【先行技術文献】
【特許文献】
【０００６】
【特許文献１】特開２００７−２２６００号公報
【発明の概要】
【発明が解決しようとする課題】
【０００７】
本発明はこのような点を考慮してなされたものであり、内容物充填システムに残存するフレーバーを効率良く除去することが可能な脱臭方法を提供することを目的とする。
【課題を解決するための手段】
【０００８】
本発明は、ＣＩＰにより内容物充填システムを脱臭する脱臭方法において、飲料を加熱する加熱殺菌機を少なくとも含む第１循環系に、第１循環系用第１すすぎ水を供給する第１すすぎ工程と、前記第１循環系に第１循環系用薬剤を供給して循環させる薬剤循環工程と、前記第１循環系に第１循環系用第２すすぎ水を供給する第２すすぎ工程とを備え、前記薬剤循環工程において、前記第１循環系用薬剤は、前記第１循環系内において、７０℃以上１５０℃以下の温度に加熱される、脱臭方法である。
【０００９】
本発明は、前記薬剤循環工程において、前記第１循環系用薬剤を前記第１循環系内に供給して循環させる時間は、５分以上６０分以下である、脱臭方法である。
【００１０】
本発明は、前記第２すすぎ工程において、前記第１循環系用第２すすぎ水は、前記第１循環系内において、７０℃以上１５０℃以下の温度に加熱される、脱臭方法である。
【００１１】
本発明は、前記第２すすぎ工程において、前記第１循環系用第２すすぎ水を前記第１循環系に供給する時間は、５分以上６０分以下である、脱臭方法である。
【００１２】
本発明は、前記第１すすぎ工程において、前記第１循環系用第１すすぎ水は、前記第１循環系内において、３０℃以上１００℃以下の温度に加熱される、脱臭方法である。
【００１３】
本発明は、前記第１すすぎ工程において、前記第１循環系用第１すすぎ水を前記第１循環系に供給する時間は、５分以上３０分以下である、脱臭方法である。
【００１４】
本発明は、前記第１循環系に第１循環系用第３すすぎ水を供給する第３すすぎ工程を更に備え、前記第３すすぎ工程において、前記第１循環系用第３すすぎ水は、前記第１循環系内において、３０℃以上１００℃以下の温度に加熱される、脱臭方法である。
【００１５】
本発明は、前記第３すすぎ工程において、前記第１循環系用第３すすぎ水を前記第１循環系に供給する時間は、５分以上１２０分以下である、脱臭方法である。
【００１６】
本発明は、ＣＩＰにより内容物充填システムを脱臭する脱臭方法において、容器に内容物を充填する充填装置を少なくとも含む第２循環系に、第２循環系用第１すすぎ水を供給する第１すすぎ工程と、前記第２循環系に第２循環系用薬剤を供給して循環させる薬剤循環工程と、前記第２循環系に第２循環系用第２すすぎ水を供給する第２すすぎ工程とを備え、前記第２すすぎ工程において、前記第２循環系用第２すすぎ水は、前記第２循環系内において、４０℃以上１００℃以下の温度に加熱される、脱臭方法である。
【００１７】
本発明は、前記第２すすぎ工程において、前記第２循環系用第２すすぎ水を前記第２循環系に供給する時間は、５分以上６０分以下である、脱臭方法である。
【００１８】
本発明は、前記第１すすぎ工程において、前記第２循環系用第１すすぎ水は、前記第２循環系内において、４０℃以上１００℃以下の温度に加熱される、脱臭方法である。
【００１９】
本発明は、前記第１すすぎ工程において、前記第２循環系用第１すすぎ水を前記第２循環系に供給する時間は、５分以上３０分以下である、脱臭方法である。
【００２０】
本発明は、前記第２循環系に第２循環系用第３すすぎ水を供給する第３すすぎ工程を更に備え、前記第３すすぎ工程において、前記第２循環系用第３すすぎ水は、前記第２循環系内において、４０℃以上１００℃以下の温度に加熱される、脱臭方法である。
【００２１】
本発明は、前記第３すすぎ工程において、前記第２循環系用第３すすぎ水を前記第２循環系に供給する時間は、５分以上１２０分以下である、脱臭方法である。
【００２２】
本発明は、前記薬剤循環工程において、前記第２循環系用薬剤は、前記第２循環系内において、７０℃以上１５０℃以下の温度に加熱される、脱臭方法である。
【００２３】
本発明は、前記薬剤循環工程において、前記第２循環系用薬剤を前記第２循環系内に供給して循環させる時間は、５分以上６０分以下である、脱臭方法である。
【発明の効果】
【００２４】
本発明によれば、内容物充填システムに残存するフレーバーを効率良く除去することができる。
【図面の簡単な説明】
【００２５】
【図１】図１は、本発明の一実施の形態による脱臭方法が適用される内容物充填システムを示すブロック図である。
【図２】図２は、本発明の一実施の形態による脱臭方法を示すブロック図である。
【図３】図３は、本発明の一実施の形態による脱臭方法を示すブロック図である。
【図４】図４は、本発明の一実施の形態による脱臭方法を示すブロック図である。
【図５】図５は、本発明の一実施の形態による脱臭方法を示すブロック図である。
【図６】図６は、本発明の一実施の形態による脱臭方法が適用される内容物充填システムの変形例を示すブロック図である。
【発明を実施するための形態】
【００２６】
以下、図面を参照して本発明の一実施の形態について説明する。図１乃至図５は本発明の一実施の形態を示す図である。
【００２７】
まず、図１により、本実施の形態による脱臭方法が適用される内容物充填システムの概要について説明する。
【００２８】
図１に示すように、内容物充填システム１００は、調合装置１と、バランスタンク２と、加熱殺菌機（Ｕｌｔｒａ  Ｈｉｇｈ−ｔｅｍｐｅｒａｔｕｒｅ、以下ＵＨＴと記す）３と、サージタンク４と、ヘッドタンク５と、充填装置（フィラー）６とを備えている。調合装置１、バランスタンク２、ＵＨＴ３、サージタンク４、ヘッドタンク５、および充填装置６は、飲料の搬送方向に沿って、上流側から下流側に向けてこの順に配置されている。また、調合装置１、バランスタンク２、ＵＨＴ３、サージタンク４、ヘッドタンク５、および充填装置６は、後述するように、飲料が通過する製品供給系配管２０によってそれぞれ連結されている。なお、サージタンク４およびヘッドタンク５は、少なくとも一方が設けられていれば良い。
【００２９】
このうち、調合装置１は、製品である飲料を所望の配合割合で調合するものである。製品としては、例えばミネラルウォーター、炭酸飲料、茶系飲料、果実飲料、コーヒー飲料、乳飲料、機能性飲料、アルコール入り飲料、カフェインやアルギニンを含むいわゆるエナジードリンク等が挙げられる。
【００３０】
バランスタンク２は、調合装置１によって調合された飲料を貯留することにより、飲料の流れを円滑にするものである。なお、図１に示すように、このバランスタンク２の下流側にヒータＨ１が設けられ、後述するＣＩＰの際にヒータＨ１により薬剤を加熱する。
【００３１】
ＵＨＴ３は、バランスタンク２から供給された飲料を加熱し殺菌するものである。このＵＨＴ３は、第１段加熱部３１と、第２段加熱部３２と、ホールディングチューブ３３と、第１段冷却部３４と、第２段冷却部３５とを有している。ＵＨＴ３に供給された飲料は、第１段加熱部３１および第２段加熱部３２によって徐々に加熱され、ホールディングチューブ３３内で目標温度まで加熱されるようになっている。この場合、例えば飲料は、第１段加熱部３１によって６０℃以上８０℃以下に加熱され、第２段加熱部３２によって６０℃以上１５０℃以下に加熱される。また、ホールディングチューブ３３内で一定時間温度が保持される。ホールディングチューブ３３内を通過した飲料は、第１段冷却部３４および第２段冷却部３５によって徐々に冷却されるようになっている。なお、加熱部や冷却部の段数は必要に応じて増減される。
【００３２】
サージタンク４は、ＵＨＴ３によって滅菌された飲料を貯留するものである。
【００３３】
ヘッドタンク５は、充填装置６に供給する、滅菌された飲料を貯留するものである。
【００３４】
充填装置６は、容器９の口部から容器９内へ、予め殺菌処理された内容物を充填するものである。この充填装置６において、空の状態の容器９に対して内容物が充填される。この充填装置６において、充填ノズル６ａとともに複数の容器９が回転（公転）されながら、容器９の内部へ内容物が充填される。この内容物は常温で容器９内に充填されても良い。内容物は予め加熱等により殺菌処理され、３℃以上かつ４０℃以下の常温まで冷まされた上で容器９内に充填される。
【００３５】
また、内容物充填システム１００は、無菌チャンバ１０を有している。無菌チャンバ１０の内部に、上述した充填装置６が収容されている。この場合、無菌チャンバ１０の内部が無菌状態に保持されている。
【００３６】
上述した調合装置１、バランスタンク２、ＵＨＴ３、サージタンク４、ヘッドタンク５、および充填装置６は、飲料が通過する製品供給系配管２０によってそれぞれ連結されている。この製品供給系配管２０は、ＵＨＴ３とサージタンク４との間に配置されたマニホルドバルブ２１の上流側に位置する上流側供給配管２０ａと、マニホルドバルブ２１の下流側に位置する下流側供給配管２０ｂとを含んでいる。ここで、マニホルドバルブ２１は、流路の切り換えを行うためのものである。図１の太線に示すように、マニホルドバルブ２１は、容器９に飲料を充填する際には、上流側供給配管２０ａと下流側供給配管２０ｂとを連通させる。一方、マニホルドバルブ２１は、ＣＩＰを行う際には、上流側供給配管２０ａと後述する上流側帰還配管２２ａとを連通させ（図２および図３参照）、下流側供給配管２０ｂと後述する下流側帰還配管２２ｂとを連通させる（図４および図５参照）。
【００３７】
このマニホルドバルブ２１には、上流側帰還配管２２ａが接続されており、上流側帰還配管２２ａの下流側には、上流側帰還配管２２ａとバランスタンク２とを連結するバイパス配管２３ａが接続されている。また、上流側帰還配管２２ａのうち、バイパス配管２３ａの下流側には、ＣＩＰを行う際に薬剤等を供給するための上流側供給機構２４ａが設けられている。この上流側供給機構２４ａには、上流側供給機構２４ａとバイパス配管２３ａとを連結する上流側導入配管２６ａが接続されており、上流側導入配管２６ａを介して、バイパス配管２３ａに薬剤等を供給するように構成されている。このような構成により、上流側供給配管２０ａと、上流側帰還配管２２ａと、バイパス配管２３ａとによって、ＣＩＰを行うための上流側循環系（第１循環系）２５ａが形成されている。なお、上流側循環系２５ａにおいては、各配管や各部材の接続箇所等に、例えばパッキンからなるシール部材が設けられており、飲料等が漏れ出さないように構成されている。この場合、上流側循環系２５ａにおいては、シール部材として、例えばフッ素樹脂（ＰＴＦＥ）やＥＰＤＭ、ＮＢＲ、Ｈ−ＮＢＲ、シリコーン製、フッ素系のゴムパッキンやＰＴＦＥで被覆された各種ゴムが使用され得る。
【００３８】
なお、ＣＩＰの際に、上述した上流側供給機構２４ａによってバイパス配管２３ａに供給される薬剤としては、アルカリ性洗浄液を用いることができる。アルカリ性洗浄液は、アルカリ成分として、水酸化ナトリウム、水酸化カリウム、次亜塩素酸ナトリウム等の塩素化アルカリ等のうち所望のものを含んでいる。また、アルカリ性洗浄液は、クエン酸、コハク酸、グルコン酸などの有機酸、またはリン酸及びこれらのアルカリ金属塩、アルカリ土類金属塩、アンモニウム塩、エチレンジアミン四酢酸などのアルカノールアミン塩等のヒドロキシカルボン酸化合物などの金属イオン封鎖剤、また、アニオン界面活性剤、カチオン界面活性剤、ポリオキシエチレンアルキルフェニルエーテル類などの非イオン系界面活性剤、クメンスルホン酸ナトリウムなどの可溶化剤、ポリアクリル酸などの酸系高分子またはこれらの金属塩、腐食抑制剤、防腐剤、酸化防止剤、分散剤、消泡剤などを含んでいても良い。これらを溶解する水は純水、イオン交換水、蒸留水、水道水などが使用される。また、アルカリ性洗浄液は、次亜塩素酸塩、過酸化水素、過酢酸、過炭酸ナトリウム、二酸化チオ尿素等の各種漂白剤を含んでいても良い。
【００３９】
このようなアルカリ性洗浄液としては、例えば、水酸化ナトリウムまたは水酸化カリウムを０．１質量％以上１０質量％以下程度含んだものであっても良い。また、アルカリ性洗浄液として、塩素濃度が１００〜３，０００ｐｐｍの次亜塩素酸ナトリウムを含んだものであっても良い。アルカリ性洗浄液として、塩素濃度が１００〜３，０００ｐｐｍの次亜塩素酸ナトリウムを含んだ洗浄液を用いた場合、水酸化ナトリウムを含んだ洗浄液を用いた場合よりも殺菌性を高めることができる。
【００４０】
また、マニホルドバルブ２１には、後述するＣＩＰの際に薬剤を加熱するヒータＨ２が設けられた下流側帰還配管２２ｂが接続されている。下流側帰還配管２２ｂの上流には、ＣＩＰを行う際に薬剤等を供給するための下流側供給機構２４ｂが設けられている。この下流側供給機構２４ｂには、下流側供給機構２４ｂと下流側帰還配管２２ｂとを連結する下流側導入配管２６ｂが接続されており、下流側導入配管２６ｂを介して、下流側帰還配管２２ｂに薬剤等を供給するように構成されている。また、下流側帰還配管２２ｂには、ＣＩＰ時に上述した充填装置６の充填ノズル６ａを通過した薬剤等を受けるドレン配管２７ｂが接続されている。このドレン配管２７ｂには、各充填ノズル６ａに対して取り外し可能に構成されたカップ１１が取り付けられている。このカップ１１は、ＣＩＰを行う際に図示しないアクチュエータによって充填ノズル６ａに被せられる。これにより、ドレン配管２７ｂが充填ノズル６ａに接続されるようになっている。このような構成により、下流側供給配管２０ｂと、下流側帰還配管２２ｂと、ドレン配管２７ｂとによって、ＣＩＰを行うための下流側循環系（第２循環系）２５ｂが形成されている。なお、下流側循環系２５ｂにおいても、各配管や各部材の接続箇所には、例えばパッキンからなるシール部材が設けられており、飲料等が漏れ出さないように構成されている。この場合、下流側循環系２５ｂにおいても、シール部材として、例えばフッ素樹脂（ＰＴＦＥ）やＥＰＤＭ、ＮＢＲ、Ｈ−ＮＢＲ、シリコーン製、フッ素系のゴムパッキンやＰＴＦＥで被覆された各種ゴムが使用され得る。
【００４１】
なお、ＣＩＰの際に、上述した下流側供給機構２４ｂによって下流側帰還配管２２ｂに供給される薬剤としては、上流側供給機構２４ａによってバイパス配管２３ａに供給される薬剤と同様のアルカリ性洗浄液を用いることができる。
【００４２】
また、上述した上流側供給配管２０ａ、上流側帰還配管２２ａ、下流側供給配管２０ｂ、下流側帰還配管２２ｂ、ドレン配管２７ｂには、温度センサ１２が接続されている。この温度センサ１２は、例えば、その中に熱水等が供給された際に温度が上昇しにくい箇所に配置されていても良い。例えば、図１に示すように、温度センサ１２は、ＵＨＴ３のホールディングチューブ３３と第１段冷却部３４との間等に配置されている。なお、温度センサ１２は、上流側供給配管２０ａ、上流側帰還配管２２ａ、下流側供給配管２０ｂ、下流側帰還配管２２ｂ、ドレン配管２７ｂ以外の場所に設けられていても良い。例えば、温度センサ１２は、充填装置６の充填ノズル６ａに設けられていても良い。これらの温度センサ１２によって測定された温度の情報は、図示しない制御装置へ送信される。
【００４３】
なお、上述した製品供給系配管２０等には、上述したマニホルドバルブ２１、図示しないアクチュエータのほか、各種切換え弁、ポンプ等が設けられており、これらも図示しない制御装置からの信号によって制御される。
【００４４】
なお、上述した内容物充填システム１００は、８５℃以上かつ１００℃未満の高温下で内容物を充填する高温充填システムであっても良い。また、５５℃以上かつ８５℃未満の中温下で内容物を充填する中温充填システムであっても良い。
【００４５】
次に、本実施の形態による作用について説明する。ここでは、ＣＩＰにより内容物充填システム１００を脱臭する脱臭方法について、図２乃至図５により説明する。なお、図２乃至図５において、水および薬剤が通る配管は、太線で示している。
【００４６】
まず、内容物充填システム１００における飲料の充填が終了した後、図示しない制御装置の操作ボタンを操作する。これにより、後述するように、上流側循環系２５ａおよび下流側循環系２５ｂにおいて、ＣＩＰが各々所定の手順で実行される（図２乃至図５参照）。この際、マニホルドバルブ２１が切り替えられ、上流側供給配管２０ａと上流側帰還配管２２ａとが連通し（図２および図３参照）、下流側供給配管２０ｂと下流側帰還配管２２ｂとが連通する（図４および図５参照）。なお、上流側循環系２５ａのＣＩＰおよび下流側循環系２５ｂのＣＩＰは、互いに順を追って行っても良く、または並行して行っても良い。ここでは、まず、上流側循環系２５ａのＣＩＰについて説明する。
【００４７】
（第１すすぎ工程）
まず、図２に示すように、上流側循環系２５ａに水（第１循環系用第１すすぎ水）が供給される。この際、まず、上流側供給機構２４ａから上流側導入配管２６ａを介してバランスタンク２内に水が供給される。バランスタンク２に供給された水は、上流側供給配管２０ａを通りＵＨＴ３に送られ、ＵＨＴ３によって加熱される。この際、水は、例えば３０℃以上１００℃以下の温度、一例として５０℃に加熱される。水を３０℃以上の温度に加熱することにより、上流側循環系２５ａに残存する前回の飲料を効率良く洗い流すことができる。これにより、後述する薬剤循環工程において、上流側循環系２５ａに残存するフレーバーを効率良く除去することができる。また、水の温度を１００℃以下とすることにより、省エネルギー化および低コスト化を図ることができる。なお、この際、上流側循環系２５aを使用することなく、図示しない配管等からバランスタンク２内に水が供給されても良い。
【００４８】
次に、ＵＨＴ３で加熱された水は、上流側供給配管２０ａを通りマニホルドバルブ２１を通過する。続いて、加熱された水は、上流側帰還配管２２ａに供給され、上流側帰還配管２２ａを通り、上流側供給機構２４ａから廃液として外部に排出される。この際、上流側供給機構２４ａにおいて、供給する水と外部に排出される水との間で熱交換が行われても良い。
【００４９】
上述したように上流側循環系２５ａに水を供給する場合、水を上流側循環系２５ａに供給する時間は、５分以上３０分以下、一例として５分であっても良い。上流側循環系２５ａに水を供給する時間を５分以上とすることにより、上流側循環系２５ａに残存する前回の飲料を効果的に洗い流すことができる。また、上流側循環系２５ａに水を供給する時間を３０分以下とすることにより、ダウンタイムを短縮することができるとともに、省エネルギー化を図ることができる。
【００５０】
（薬剤循環工程）
次いで、図３に示すように、上流側循環系２５ａに薬剤（第１循環系用薬剤）を供給して循環させる。この際、まず、上流側供給機構２４ａから上流側導入配管２６ａを介してバランスタンク２内に薬剤が供給される。この場合、薬剤としては、水酸化ナトリウム又は水酸化カリウムを０．１〜１０質量％含んだアルカリ性洗浄液や、塩素濃度が１００〜３０００ｐｐｍの次亜塩素酸ナトリウムを含んだアルカリ性洗浄液を用いることができる。なお、この際、上流側供給機構２４ａを使用することなく、図示しない配管等からバランスタンク２内に薬剤が供給されても良い。
【００５１】
バランスタンク２に供給された薬剤は、バランスタンク２を通過し、バランスタンク２の下流側に設けられたヒータＨ１によって加熱される。また、ヒータＨ１によって加熱された薬剤は、上流側供給配管２０ａを通りＵＨＴ３に送られ、ＵＨＴ３によって更に加熱される。この際、薬剤は、例えば７０℃以上１５０℃以下の温度、好ましくは９０℃以上、１４５℃以下の温度、一例として１４０℃に加熱される。薬剤を７０℃以上の温度に加熱することにより、上流側循環系２５ａに残存するフレーバーを効率良く除去することができ、薬剤を９０℃以上の温度に加熱することにより、上流側循環系２５ａに残存するフレーバーを更に効率良く除去することができる。また、薬剤の温度を１５０℃以下とすることにより、省エネルギー化を図ることができ、薬剤の温度を１４５℃以下とすることにより、更に省エネルギー化を図ることができるとともに、上流側循環系２５ａの各配管、各部材及びシール部材への熱による損傷を低減させることができる。なお、バランスタンク２に供給された薬剤が、ヒータＨ１によって加熱されることなく、ＵＨＴ３に送られ、ＵＨＴ３によって加熱されても良い。
【００５２】
次に、加熱された薬剤は、上流側供給配管２０ａを通りＵＨＴ３およびマニホルドバルブ２１を通過する。この際、加熱された薬剤は、上流側帰還配管２２ａに供給され、上流側帰還配管２２ａに接続されたバイパス配管２３ａに供給される。そして、薬剤は、バイパス配管２３ａを介してバランスタンク２内に供給される。このようにして、薬剤が上流側循環系２５ａを循環する。なお、薬剤は、図示しない配管等により、バイパス配管２３ａを介してヒータＨ１に供給され上流側循環系２５ａを循環しても良い。その後、薬剤は、上流側循環系２５ａ内を所定の時間循環した後に、上流側供給機構２４ａから廃液として外部に排出される（図２参照）。この場合、薬剤を上流側循環系２５ａ内に供給して循環させる時間は、５分以上６０分以下、一例として１５分であっても良い。上流側循環系２５ａ内に薬剤を供給して循環させる時間を５分以上とすることにより、上流側循環系２５ａに残存するフレーバーを効果的に除去することができる。また、第１循環系２５ａ内に薬剤を供給して循環させる時間を６０分以下とすることにより、ダウンタイムを短縮することができるとともに、省エネルギー化を図ることができる。
【００５３】
ところで、上述したように、調合装置１では、例えば果実飲料等が飲料として調合される。このような飲料には、多くのフレーバーが含有している飲料も存在する。フレーバーとしては、酪酸エチル、２−メチル酪酸エチル、酢酸イソアミル、リモネン、カプロン酸エチル、酪酸イソアミル、酢酸ヘキシル、カプロン酸アリル、オクチルアルデヒド、デシルアルデヒド等が挙げられる。とりわけ、代表的なフレーバーとして、酪酸エチル、２−メチル酪酸エチルおよびリモネンが挙げられる。また、このようなフレーバーを多く含有する飲料の次回に、例えばミネラルウォーターや緑茶等のフレーバーを含まない飲料を充填する場合もある。この際、上流側循環系２５ａにフレーバーが残存していると、残存するフレーバーが次回の飲料に入り込んでしまい、前回の飲料の香りが次回の飲料に付着してしまう問題がある。
【００５４】
とりわけ、上述したように、上流側循環系２５ａにおいては、各配管や各部材の接続箇所等には、シール部材として、例えばフッ素樹脂製のパッキンが設けられている。また、上述したように、飲料を容器９（図１参照）に充填する際には、飲料は、ＵＨＴ３によって６０℃以上１５０℃以下程度の温度に加熱される。この際、例えば各配管の接続箇所に設けられたパッキンが熱膨張し、各配管とパッキンとの間に隙間が生じるおそれがある。このように、各配管とパッキンとの間に隙間が生じると、当該隙間にフレーバーが入り込んでしまう場合がある。この場合、パッキンが冷却され収縮した際に、当該隙間に入り込んだフレーバーが、パッキンに付着した状態で、各配管とパッキンとの間に介在する可能性がある。また、各配管とパッキンとの間に介在するフレーバーについては、上流側循環系２５ａに薬剤を供給して循環させたとしても、当該フレーバーを除去することが困難な場合がある。そして、このような隙間に入り込んだフレーバーは、次回の飲料の充填時に、パッキンが熱膨張することにより生じる、各配管とパッキンとの間の隙間から、次回の飲料内に入り込む可能性がある。
【００５５】
これに対して本実施の形態によれば、薬剤を７０℃以上の温度に加熱することにより、上流側循環系２５ａに残存するフレーバーを効率良く除去することができる。すなわち、薬剤を７０℃以上の温度に加熱することにより、飲料を充填する際に生じるパッキンの熱膨張と同程度の熱膨張をパッキンに生じさせることができる。これにより、パッキンが熱膨張した際に生じた隙間に入り込んだフレーバーを効果的に取り除くことができる。このため、次回の飲料に前回の飲料の香りが付着する不具合を抑制することができる。この場合、より高い脱臭効果を得るには、前の製品の殺菌温度と同等以上の温度の水ですすぐことが有効である。また、薬剤を７０℃以上の温度に加熱するとともに、上流側循環系２５ａ内に薬剤を供給して循環させる時間を５分以上とすることにより、上流側循環系２５ａの各配管および各部材を殺菌することができる。これにより、通常はＣＩＰの後に行われるＳＩＰを省略することができる。このため、ダウンタイムを短縮することができる。
【００５６】
なお、必要に応じて、アルカリ性洗浄液による浄化の前後に、酸性洗浄液による洗浄が行われても良い。また、例えば、酸性洗浄液による浄化の後にアルカリ性洗浄液による浄化を行い、その後更に酸性洗浄液による浄化を行っても良い。また、アルカリ性洗浄液による浄化の後に酸性洗浄液による浄化を行い、その後更にアルカリ性洗浄液による浄化を行っても良い。
【００５７】
（第２すすぎ工程）
次に、図２に示すように、上流側循環系２５ａに水（第１循環系用第２すすぎ水）が供給される。この際、上述した第１すすぎ工程と同様に、上流側循環系２５ａに水が供給される。この場合、水は、上流側循環系２５ａ内において、例えば７０℃以上１５０℃以下の温度、一例として１４０℃に加熱される。水を７０℃以上の温度に加熱することにより、上流側循環系２５ａに残存するフレーバーを効率良く除去することができる。すなわち、上述したフレーバーには、例えば、酪酸エチルおよび２−メチル酪酸エチルのように、水溶性のフレーバーが存在する。この場合、水を７０℃以上の温度に加熱することにより、上流側循環系２５ａに残存する水溶性のフレーバーを効率良く除去することができる。このため、脱臭効果を向上させることができる。また、この場合、水を７０℃以上の温度に加熱することにより、薬剤循環工程において説明したように、パッキンが熱膨張した際に生じた隙間に入り込んだフレーバーを取り除くこともできる。また、水の温度を１５０℃以下とすることにより、省エネルギー化を図ることができる。なお、この場合においても、上流側供給機構２４ａを使用することなく、図示しない配管等からバランスタンク２内に水が供給されても良い。
【００５８】
また、水を上流側循環系２５ａに供給する時間は、５分以上６０分以下、一例として１０分であっても良い。上流側循環系２５ａに水を供給する時間を５分以上とすることにより、上流側循環系２５ａに残存するフレーバーを効果的に除去することができる。また、上流側循環系２５ａに水を供給する時間を６０分以下とすることにより、ダウンタイムを短縮することができるとともに、省エネルギー化を図ることができる。
【００５９】
（第３すすぎ工程）
また、必要に応じて、上述した第２すすぎ工程の後に、上流側循環系２５ａに水（第１循環系用第３すすぎ水）が供給されても良い。この際、上述した第１すすぎ工程および第２すすぎ工程と同様に、上流側循環系２５ａに水が供給される。この場合、水は、上流側循環系２５ａ内において、例えば３０℃以上１００℃以下の温度、一例として４０℃に加熱される。水を３０℃以上の温度に加熱することにより、上流側循環系２５ａに残存する水溶性のフレーバーを更に効率良く除去することができ、脱臭効果を向上させることができる。また、水の温度を１００℃以下とすることにより、省エネルギー化および低コスト化を図ることができる。なお、この場合においても、上流側供給機構２４ａを使用することなく、図示しない配管等からバランスタンク２内に水が供給されても良い。
【００６０】
また、水を上流側循環系２５ａに供給する時間は、５分以上１２０分以下、一例として１０分であっても良い。上流側循環系２５ａに水を供給する時間を５分以上とすることにより、上流側循環系２５ａに残存するフレーバーを更に効果的に除去することができ、脱臭効果を向上させることができる。また、上流側循環系２５ａに水を供給する時間を１２０分以下とすることにより、ダウンタイムを短縮することができるとともに、省エネルギー化を図ることができる。
【００６１】
このようにして、上流側循環系２５ａのＣＩＰが行われ、ＣＩＰにより上流側循環系２５ａに残存していたフレーバーが除去され、上流側循環系２５ａが脱臭される。
【００６２】
次に、下流側循環系２５ｂのＣＩＰについて説明する。
【００６３】
まず、図４に示すように、カップ１１が、充填ノズル６ａに被せられる。これにより、ドレン配管２７ｂが充填ノズル６ａに接続される。
【００６４】
（第１すすぎ工程）
次に、下流側循環系２５ｂに水（第２循環系用第１すすぎ水）が供給される。この際、まず、下流側供給機構２４ｂから下流側導入配管２６ｂを介して下流側帰還配管２２ｂに水が供給される。下流側帰還配管２２ｂに供給された水は、ヒータＨ２により加熱される。この際、水は、例えば４０℃以上１００℃以下の温度、一例として４０℃に加熱される。水を４０℃以上の温度に加熱することにより、下流側循環系２５ｂに残存する前回の飲料を効率良く洗い流すことができる。これにより、後述する薬剤循環工程において、下流側循環系２５ｂに残存するフレーバーを効率良く除去することができる。また、水の温度を１００℃以下とすることにより、省エネルギー化および低コスト化を図ることができる。
【００６５】
次いで、加熱された水は、下流側帰還配管２２ｂを通りマニホルドバルブ２１を通過する。この際、加熱された水は、下流側供給配管２０ｂに供給され、下流側供給配管２０ｂ、サージタンク４、ヘッドタンク５、充填装置６およびドレン配管２７ｂを通り、下流側供給機構２４ｂから廃液として外部に排出される。
【００６６】
上述したように下流側循環系２５ｂに水を供給する場合、水を下流側循環系２５ｂに供給する時間は、５分以上３０分以下、一例として５分であっても良い。下流側循環系２５ｂに水を供給する時間を５分以上とすることにより、下流側循環系２５ｂに残存する前回の飲料を効果的に洗い流すことができる。また、下流側循環系２５ｂに水を供給する時間を３０分以下とすることにより、ダウンタイムを短縮することができるとともに、省エネルギー化を図ることができる。
【００６７】
（薬剤循環工程）
次に、図５に示すように、下流側循環系２５ｂに薬剤（第２循環系用薬剤）を供給して循環させる。この際、まず、下流側供給機構２４ｂから下流側導入配管２６ｂを介して下流側帰還配管２２ｂに薬剤が供給される。薬剤としては、上流側循環系２５ａをＣＩＰした際に使用した薬剤と同様のアルカリ性洗浄液を用いることができる。下流側帰還配管２２ｂに供給された薬剤は、ヒータＨ２により加熱される。この際、薬剤は、例えば７０℃以上１００℃以下の温度、一例として８０℃に加熱される。薬剤を７０℃以上の温度に加熱することにより、下流側循環系２５ｂに残存するフレーバーを除去することができる。また、薬剤の温度を１００℃以下とすることにより、省エネルギー化および低コスト化を図ることができる。また、この場合、上述した上流側循環系２５ａの場合と同様に、薬剤を７０℃以上の温度に加熱することにより、パッキンが熱膨張した際に生じた隙間に入り込んだフレーバーを効果的に取り除くことができ、次回の飲料に前回の飲料の香りが付着する不具合を抑制することができる。とりわけ、下流側循環系２５ｂにおいては、エチレンプロピレンジエンゴム（ＥＰＤＭ）製のパッキンが使用され得る。このエチレンプロピレンジエンゴムにはフレーバーが付着しやすく、下流側循環系２５ｂには、フレーバーが残存しやすい傾向がある。これに対して、薬剤を７０℃以上の温度に加熱することにより、パッキンに付着したフレーバーを効果的に取り除くことができる。また、薬剤を７０℃以上の温度に加熱するとともに、下流側循環系２５ｂ内に薬剤を供給して循環させる時間を５分以上とすることにより、ＳＩＰを省略することができ、ダウンタイムを短縮することができる。
【００６８】
次いで、加熱された薬剤は、マニホルドバルブ２１を通過し、下流側供給配管２０ｂ、サージタンク４、ヘッドタンク５および充填装置６を通過する。そして、ドレン配管２７ｂを介して下流側帰還配管２２ｂに供給される。このようにして、薬剤が下流側循環系２５ｂを循環する。その後、薬剤は、下流側循環系２５ｂ内を所定の時間循環した後に、下流側供給機構２４ｂから廃液として外部に排出される（図４参照）。この場合、薬剤を下流側循環系２５ｂ内に供給して循環させる時間は、５分以上６０分以下、一例として１５分であっても良い。下流側循環系２５ｂ内に薬剤を供給して循環させる時間を５分以上とすることにより、下流側循環系２５ｂに残存するフレーバーを効果的に除去することができる。また、下流側循環系２５ｂ内に薬剤を供給して循環させる時間を６０分以下とすることにより、ダウンタイムを短縮することができるとともに、省エネルギー化を図ることができる。
【００６９】
なお、必要に応じて、上流側循環系２５ａと同様に、アルカリ性洗浄液による浄化の前後に、酸性洗浄液による洗浄が行われても良い。また、例えば、酸性洗浄液による浄化の後にアルカリ性洗浄液による浄化を行い、その後更に酸性洗浄液による浄化を行っても良い。また、アルカリ性洗浄液による浄化の後に酸性洗浄液による浄化を行い、その後更にアルカリ性洗浄液による浄化を行っても良い。
【００７０】
（第２すすぎ工程）
次に、図４に示すように、下流側循環系２５ｂに水（第２循環系用第２すすぎ水）が供給される。この際、上述した下流側循環系２５ｂにおける第２すすぎ工程と同様に、下流側循環系２５ｂに水が供給される。この場合、水は、下流側循環系２５ｂ内において、例えば４０℃以上１００℃以下の温度、一例として９０℃に加熱される。水を４０℃以上の温度に加熱することにより、上流側循環系２５ａの場合と同様に、下流側循環系２５ｂに残存する水溶性のフレーバーを効率良く除去することができる。このため、脱臭効果を向上させることができる。また、水の温度を１００℃以下とすることにより、サージタンク４等を第一種圧力容器ではなく、第二種圧力容器として取り扱うことができるため、脱臭処理工程を低コストで実施することができる。
【００７１】
また、水を下流側循環系２５ｂに供給する時間は、５分以上６０分以下、一例として１０分であっても良い。下流側循環系２５ｂに水を供給する時間を５分以上とすることにより、下流側循環系２５ｂに残存するフレーバーを効果的に除去することができる。また、下流側循環系２５ｂに水を供給する時間を６０分以下とすることにより、ダウンタイムを短縮することができるとともに、省エネルギー化を図ることができる。
【００７２】
（第３すすぎ工程）
また、必要に応じて、上述した下流側循環系２５ｂにおける第２すすぎ工程の後に、下流側循環系２５ｂに水（第２循環系用第３すすぎ水）が供給されても良い。この際、上述した下流側循環系２５ｂにおける第１すすぎ工程および第２すすぎ工程と同様に、下流側循環系２５ｂに水が供給される。この場合、水は、下流側循環系２５ｂ内において、例えば４０℃以上１００℃以下の温度、一例として４０℃に加熱される。水を４０℃以上の温度に加熱することにより、下流側循環系２５ｂに残存する水溶性のフレーバーを更に効率良く除去することができ、脱臭効果を向上させることができる。また、水の温度を１００℃以下とすることにより、省エネルギー化を図ることができる。
【００７３】
また、水を下流側循環系２５ｂに供給する時間は、５分以上１２０分以下、一例として１０分であっても良い。下流側循環系２５ｂに水を供給する時間を５分以上とすることにより、下流側循環系２５ｂに残存するフレーバーを更に効果的に除去することができ、脱臭効果を向上させることができる。また、下流側循環系２５ｂに水を供給する時間を１２０分以下とすることにより、ダウンタイムを短縮することができるとともに、省エネルギー化を図ることができる。
【００７４】
このようにして、下流側循環系２５ｂのＣＩＰが行われ、ＣＩＰにより下流側循環系２５ｂに残存していたフレーバーが除去され、下流側循環系２５ｂが脱臭される。
【００７５】
（脱臭確認工程）
また、脱臭効果が十分であったか、脱臭確認工程を設けても良い。この脱臭確認工程は、まず、内容物充填システム１００に水を送液する。この際、水は、ＵＨＴ３の出口における温度が、上流側循環系２５ａにおける第２すすぎ工程時の温度（例えば１４０℃）から８０℃以上９０℃以下程度まで下げた状態で、送液される。そして、充填装置６の出口のドレン配管２７ｂから水をサンプリングし、臭いが除去されているか否かを確認することにより行うことが出来る。この際、臭いを分別できるセンサを設けても良い。また、充填装置６で水を容器に充填し、臭いを確認しても良い。そして、この脱臭確認工程で結果がＮＧであった場合、再度ＣＩＰを行う。なお、脱臭確認工程は、上流側循環系２５ａおよび下流側循環系２５ｂにおいて、個別に行われても良い。
【００７６】
以上のように本実施の形態によれば、上流側循環系２５ａにおける薬剤循環工程において、薬剤は、上流側循環系２５ａ内において、７０℃以上の温度に加熱される。これにより、上流側循環系２５ａに残存するフレーバーを効率良く除去することができる。また、薬剤の温度は、上流側循環系２５ａ内において、１５０℃以下になっている。これにより、省エネルギー化を図ることができる。なお、このように上流側循環系２５ａに残存するフレーバーを効率良く除去することができることは、後述する実施例によって説明する。
【００７７】
また、本実施の形態によれば、薬剤循環工程において、薬剤を上流側循環系２５ａ内または下流側循環系２５ｂ内に供給して循環させる時間は、５分以上である。これにより、上流側循環系２５ａまたは下流側循環系２５ｂに残存するフレーバーを効果的に除去することができる。また、薬剤を上流側循環系２５ａ内または下流側循環系２５ｂ内に供給して循環させる時間は、６０分以下である。これにより、ダウンタイムを短縮することができるとともに、省エネルギー化を図ることができる。
【００７８】
また、本実施の形態によれば、第２すすぎ工程において、水は、上流側循環系２５ａ内において、７０℃以上の温度に加熱される。また、水は、下流側循環系２５ｂ内において、４０℃以上の温度に加熱される。これにより、上流側循環系２５ａまたは下流側循環系２５ｂに残存する水溶性のフレーバーを効率良く除去することができる。また、水の温度は、上流側循環系２５ａ内において、１５０℃以下になっている。また、水の温度は、下流側循環系２５ｂ内において、１００℃以下になっている。これにより、省エネルギー化を図ることができる。なお、このように上流側循環系２５ａに残存する水溶性のフレーバーを効率良く除去することができることは、後述する実施例によって説明する。
【００７９】
また、本実施の形態によれば、第２すすぎ工程において、水を上流側循環系２５ａまたは下流側循環系２５ｂに供給する時間は、５分以上である。これにより、上流側循環系２５ａまたは下流側循環系２５ｂに残存するフレーバーを効果的に除去することができる。また、水を上流側循環系２５ａまたは下流側循環系２５ｂに供給する時間は、６０分以下である。これにより、ダウンタイムを短縮することができるとともに、省エネルギー化を図ることができる。
【００８０】
なお、上述した実施の形態においては、下流側循環系２５ｂにおける薬剤循環工程において、薬剤が７０℃以上１００℃以下の温度に加熱される例について説明したがこれに限られることはない。すなわち、上述した実施の形態においては、下流側循環系２５ｂのサージタンク４等を第二種圧力容器として取り扱う場合を想定して、薬剤が７０℃以上１００℃以下の温度に加熱される例について説明した。一方、下流側循環系２５ｂのサージタンク４等を第一種圧力容器として取り扱う場合、下流側循環系２５ｂの薬剤循環工程において、薬剤が例えば７０℃以上１５０℃以下の温度、一例として１３０℃に加熱されても良い。この場合においても薬剤を７０℃以上の温度に加熱することにより、下流側循環系２５ｂに残存するフレーバーを効率良く除去することができ、薬剤の温度を１５０℃以下とすることにより、省エネルギー化を図ることができる。また、薬剤を一例として１３０℃の高温に加熱することにより、下流側循環系２５ｂに残存するフレーバーを更に効率良く除去することもできる。
【００８１】
また、上述した実施の形態においては、内容物充填システム１００にマニホルドバルブ２１が設けられている例について説明したが、これに限られることはない。例えば、マニホルドバルブ２１を設けることなく、ＵＨＴ３から充填装置６までのＣＩＰを同時に行っても良い。
【００８２】
さらに、図６に示すように、内容物充填システム１００が、飲料に炭酸を添加する炭酸添加装置４１が設けられた炭酸ライン４０を更に備えていても良い。この場合、炭酸ライン４０は、サージタンク４とヘッドタンク５との間に設けられたマニホルドバルブ２１ｂを介して下流側供給配管２０ｂに接続されている。これにより、図６の太線に示すように、飲料は、下流側供給配管２０ｂを通過して炭酸ライン４０に供給され、炭酸添加装置４１によって炭酸が添加される。そして、炭酸が添加された飲料は、炭酸ライン４０からマニホルドバルブ２１ｂを通過して下流側供給配管２０ｂおよびヘッドタンク５に供給され、充填装置６により容器９に充填される。
【００８３】
なお、内容物充填システム１００において、サージタンク４が設けられることなく、ヘッドタンク５のみが設けられていた場合、上述したマニホルドバルブ２１ｂは、ヘッドタンク５の下流側に設けられていても良い。
【００８４】
なお、ＣＩＰにおいて、水を加熱する加熱装置は、例えば、ボトルリンス、キャップリンス等のために無菌充填機で使用する無菌水殺菌装置でも良く、他の製品加熱殺菌機でも良い。
【００８５】
また、ＵＨＴ３はインジェクション方式でもインフュージョン方式でも良く、ＵＨＴ３の熱交換器等、内容物充填システム１００において熱交換を行うために使用される熱交換機はプレート式でもシェル＆チューブ式でも良い。
【実施例】
【００８６】
次に本発明の具体的実施例について説明する。
【００８７】
（実施例）
まず、図１に示す構成からなる、内容物充填システム１００の上流側循環系２５ａに果実飲料を供給し、上流側循環系２５ａを４時間循環させた。
【００８８】
この際、果実飲料の供給温度は２０℃であり、ＵＨＴ３のホールディングチューブ３３によって加熱された果実飲料の温度は１１５℃であり、第２段冷却部３５を通過した果実飲料の温度は３０℃であった。
【００８９】
次に、果実飲料を上流側供給機構２４ａから外部に排出し、上流側循環系２５ａのＣＩＰを行った。この際、まず、第１すすぎ工程として、上流側循環系２５ａに、１５℃の水を５分間供給した。
【００９０】
次いで、薬剤循環工程として、上流側循環系２５ａに薬剤を供給して循環させた。この際、上流側循環系２５ａに薬剤を供給して循環させた時間は、１５分間だった。また、この際、薬剤として、水酸化ナトリウムを２質量％含んだアルカリ性洗浄液を使用した。また、ＵＨＴ３のホールディングチューブ３３によって加熱された薬剤の温度は、１４０℃であった。
【００９１】
次に、第２すすぎ工程として、上流側循環系２５ａに、水を１０分間供給した。この際、ＵＨＴ３のホールディングチューブ３３によって加熱された水の温度は、１４０℃であった。
【００９２】
次いで、第３すすぎ工程として、上流側循環系２５ａに、１５℃の水を１０分間供給した。また、第３すすぎ工程に使用した水を回収しサンプルデータを得た。
【００９３】
そして、代表的なフレーバーとして、得られたサンプルデータに含まれる酪酸エチル、２−メチル酪酸エチルおよびリモネンの含有量を測定した（表１）。
【００９４】
（比較例）
薬剤循環工程において、ＵＨＴ３のホールディングチューブ３３によって加熱された薬剤の温度が、８０℃であったこと、第２すすぎ工程として、上流側循環系２５ａに、１５℃の水を２０分間供給したこと、第２すすぎ工程に使用した水を回収しサンプルデータを得たこと、第３すすぎ工程を行わなかったこと、以外は、実施例と同様にして、上流側循環系２５ａのＣＩＰを行った。また、得られたサンプルデータに含まれる酪酸エチル、２−メチル酪酸エチルおよびリモネンの含有量を測定した（表１）。
【００９５】
【表１】
2019172357.tif 000003
【００９６】
ここで、表１は、比較例で得られたサンプルデータに含まれる酪酸エチル、２−メチル酪酸エチルおよびリモネンの含有量に対する、実施例で得られたサンプルデータに含まれる酪酸エチル、２−メチル酪酸エチルおよびリモネンの含有量の割合を示している。
【００９７】
表１に示すように、実施例においては、すすぎ水に含有する酪酸エチルの含有量を比較例に対して１９％とすることができた。また、実施例においては、すすぎ水に含有する２−メチル酪酸エチルの含有量を比較例に対して３３％とすることができた。さらに、すすぎ水に含有するリモネンの含有量を比較例に対して７５％とすることができた。
【００９８】
このように、実施例においては、上流側循環系２５ａに残存するフレーバーを効率良く除去することができる。とりわけ、第２すすぎ工程において、水を１４０℃の温度に加熱することにより、上流側循環系２５ａに残存する水溶性のフレーバーを効率良く除去することができる。
【００９９】
上記実施の形態および変形例に開示されている複数の構成要素を必要に応じて適宜組合せることも可能である。あるいは、上記実施の形態および変形例に示される全構成要素から幾つかの構成要素を削除してもよい。
【符号の説明】
【０１００】
３      ＵＨＴ
６      充填装置
２５ａ  第１循環系
２５ｂ  第２循環系
１００  内容物充填システム
【図１】
2019172357.tif 000004
【図２】
2019172357.tif 000005
【図３】
2019172357.tif 000006
【図４】
2019172357.tif 000007
【図５】
2019172357.tif 000008
【図６】
2019172357.tif 000009
【手続補正書】
【提出日】令和1年7月19日(2019.7.19)
【手続補正１】
【補正対象書類名】特許請求の範囲
【補正対象項目名】全文
【補正方法】変更
【補正の内容】
【特許請求の範囲】
【請求項１】
ＣＩＰにより内容物充填システムを脱臭する脱臭方法において、
飲料を６０℃以上１５０℃以下に加熱する加熱殺菌機と、前記飲料が通過する製品供給系配管と、前記加熱殺菌機と前記製品供給系配管との接続箇所に設けられたパッキンとを少なくとも含む第１循環系に、第１循環系用第１すすぎ水を供給する第１すすぎ工程と、
前記第１循環系に第１循環系用薬剤を供給して循環させる薬剤循環工程と、
前記第１循環系に第１循環系用第２すすぎ水を供給する第２すすぎ工程とを備え、
前記薬剤循環工程において、前記第１循環系用薬剤は、前記第１循環系内において、７０℃以上１５０℃以下の温度に加熱されることにより前記パッキンを熱膨張させ、
前記第２すすぎ工程において、前記第１循環系用第２すすぎ水の温度は、前記飲料の加熱温度以上である、脱臭方法。
【請求項２】
前記薬剤循環工程において、前記第１循環系用薬剤を前記第１循環系内に供給して循環させる時間は、５分以上６０分以下である、請求項１に記載の脱臭方法。
【請求項３】
前記第２すすぎ工程において、前記第１循環系用第２すすぎ水は、前記第１循環系内において、７０℃以上１５０℃以下の温度に加熱される、請求項１または２に記載の脱臭方法。
【請求項４】
前記第２すすぎ工程において、前記第１循環系用第２すすぎ水を前記第１循環系に供給する時間は、５分以上６０分以下である、請求項３に記載の脱臭方法。
【請求項５】
前記第１すすぎ工程において、前記第１循環系用第１すすぎ水は、前記第１循環系内において、３０℃以上１００℃以下の温度に加熱される、請求項１乃至４のいずれか一項に記載の脱臭方法。
【請求項６】
前記第１すすぎ工程において、前記第１循環系用第１すすぎ水を前記第１循環系に供給する時間は、５分以上３０分以下である、請求項５に記載の脱臭方法。
【請求項７】
前記第１循環系に第１循環系用第３すすぎ水を供給する第３すすぎ工程を更に備え、
前記第３すすぎ工程において、前記第１循環系用第３すすぎ水は、前記第１循環系内において、３０℃以上１００℃以下の温度に加熱される、請求項１乃至６のいずれか一項に記載の脱臭方法。
【請求項８】
前記第３すすぎ工程において、前記第１循環系用第３すすぎ水を前記第１循環系に供給する時間は、５分以上１２０分以下である、請求項７に記載の脱臭方法。
【請求項９】
ＣＩＰにより内容物充填システムを脱臭する脱臭方法において、
前記内容物充填システムは、
飲料を６０℃以上１５０℃以下に加熱する加熱殺菌機を含む第１循環系と、
前記第１循環系の下流側に設けられ、内容物が通過する複数の製品供給系配管と、前記複数の製品供給系配管の接続箇所に設けられたエチレンプロピレンジエンゴム製のパッキンと、容器に前記内容物を充填する充填装置とを少なくとも含む第２循環系とを備え、
前記第２循環系に、第２循環系用第１すすぎ水を供給する第１すすぎ工程と、
前記第２循環系に第２循環系用薬剤を供給して循環させる薬剤循環工程と、
前記第２循環系に第２循環系用第２すすぎ水を供給する第２すすぎ工程とを備え、
前記薬剤循環工程において、前記第２循環系用薬剤は、前記第２循環系内において、７０℃以上１００℃以下の温度に加熱されることにより前記パッキンを熱膨張させ、
前記第２すすぎ工程において、前記第２循環系用第２すすぎ水は、前記第２循環系内において、４０℃以上１００℃以下の温度に加熱される、脱臭方法。
【請求項１０】
前記第２すすぎ工程において、前記第２循環系用第２すすぎ水を前記第２循環系に供給する時間は、５分以上６０分以下である、請求項９に記載の脱臭方法。
【請求項１１】
前記第１すすぎ工程において、前記第２循環系用第１すすぎ水は、前記第２循環系内において、４０℃以上１００℃以下の温度に加熱される、請求項９または１０に記載の脱臭方法。
【請求項１２】
前記第１すすぎ工程において、前記第２循環系用第１すすぎ水を前記第２循環系に供給する時間は、５分以上３０分以下である、請求項１１に記載の脱臭方法。
【請求項１３】
前記第２循環系に第２循環系用第３すすぎ水を供給する第３すすぎ工程を更に備え、
前記第３すすぎ工程において、前記第２循環系用第３すすぎ水は、前記第２循環系内において、４０℃以上１００℃以下の温度に加熱される、請求項９乃至１２のいずれか一項に記載の脱臭方法。
【請求項１４】
前記第３すすぎ工程において、前記第２循環系用第３すすぎ水を前記第２循環系に供給する時間は、５分以上１２０分以下である、請求項１３に記載の脱臭方法。
【請求項１５】
前記薬剤循環工程において、前記第２循環系用薬剤を前記第２循環系内に供給して循環させる時間は、５分以上６０分以下である、請求項９乃至１４のいずれか一項に記載の脱臭方法。